(57)【要約】【課題】装飾物の取付けが容易な写真収納体の装飾方法を提供する。【解決手段】装飾物１００によって装飾される写真収納体Ｓの装飾方法において、装飾物１００は、装飾パーツ１１が表面に取付けられた又はそれ自体が装飾された装飾帯１０と、装飾帯１０の両端に端部がそれぞれ接続された伸縮自在な伸縮体２０を備えて一つの輪を形成してなり、装飾帯１０の略中央及び伸縮体２０の略中央がそれぞれ写真収納体Ｓの表側に露出するように、装飾帯１０を写真収納体Ｓの一つの角部Ｋ１に引っ掛けるとともに伸縮体２０を伸ばして一つの角部Ｋ１の対角角部Ｋ２に引っ掛けて、装飾物１００を写真収納体Ｓに取付ける。【選択図】図２
2014236768.tif 000002
【特許請求の範囲】
【請求項１】
装飾物によって装飾される写真収納体の装飾方法において、
前記装飾物は、
装飾パーツが表面に取付けられた又はそれ自体が装飾された装飾帯と、前記装飾帯の両端に端部がそれぞれ接続された伸縮自在な伸縮体を備えて一つの輪を形成してなり、
前記装飾帯の略中央及び前記伸縮体の略中央がそれぞれ前記写真収納体の表側に露出するように、前記装飾帯を前記写真収納体の一つの角部に引っ掛けるとともに前記伸縮体を伸ばして前記一つの角部の対角角部に引っ掛けて、前記装飾物を前記写真収納体に取付けることを特徴とする写真収納体の装飾方法。
【請求項２】
前記伸縮体は前記装飾帯よりも幅狭であることを特徴とする請求項１に記載の写真収納体の装飾方法。
【請求項３】
前記装飾帯は前記伸縮体と一体であって全体として伸縮自在であることを特徴とする請求項１又は２に記載の写真収納体の装飾方法。
【請求項４】
前記写真収納体の裏側において、前記伸縮体を捻って８の字状に交差させることを特徴とする請求項１乃至３のうちいずれか一つに記載の写真収納体の装飾方法。
【発明の詳細な説明】
【技術分野】
【０００１】
本発明は、装飾物によって装飾される写真収納体の装飾方法に関するものである。
【背景技術】
【０００２】
葬儀で遺影写真を祭壇に飾る際には、荘厳な葬儀というセレモニーの雰囲気に合わせて遺影写真が入った額を装飾物で装飾する場合がほとんどである。
この装飾物１０として、図７に示すような装飾帯１０（帯状のリボン）が用いられることが多い。また、装飾帯１０の表面には造花等の装飾パーツ１１が取付けられる。
【０００３】
通常、図８及び図９に示すように額等の写真収納体Ｓの角部Ｋ１へ装飾帯１０を装着するときには、写真収納体Ｓの表側から見て装飾帯１０の位置を決定した後、写真収納体Ｓの裏側に画鋲Ｇ等を打ってその位置で固定する（例えば、特許文献１参照）。
【先行技術文献】
【特許文献】
【０００４】
【特許文献１】特開２００９−８９７８０号公報
【発明の概要】
【発明が解決しようとする課題】
【０００５】
しかしながら、写真収納体Ｓの表側を見て装飾帯１０の角度や位置を微調整しながら裏側に画鋲Ｇで固定するというこの作業は非常に面倒なので、作業スタッフの手を煩わせる場面が多く見られた。
【０００６】
また、写真収納体Ｓが合成樹脂等の木材以外の素材からなる場合、固定用の画鋲Ｇが写真収納体Ｓに刺さらず固定用として使用できないので、粘着テープ等によって装飾帯１０を固定する必要がある。このように粘着テープ等で固定する方法では画鋲Ｇで固定するよりも装飾帯１０の角度や位置の微調整が難しいので、さらに手間が掛かってしまう。
【０００７】
そこで、本発明の目的とするところは、装飾物の取付けが容易な写真収納体の装飾方法を提供することにある。
【課題を解決するための手段】
【０００８】
上記の目的を達成するために、本発明の請求項１に記載の写真収納体（Ｓ）の装飾方法は、装飾物（１００）によって装飾される写真収納体（Ｓ）の装飾方法において、前記装飾物（１００）は、装飾パーツ（１１）が表面に取付けられた又はそれ自体が装飾された装飾帯（１０）と、前記装飾帯（１０）の両端に端部がそれぞれ接続された伸縮自在な伸縮体（２０）を備えて一つの輪を形成してなり、前記装飾帯（１０）の略中央及び前記伸縮体（２０）の略中央がそれぞれ前記写真収納体（Ｓ）の表側に露出するように、前記装飾帯（１０）を前記写真収納体（Ｓ）の一つの角部（Ｋ１）に引っ掛けるとともに前記伸縮体（２０）を伸ばして前記一つの角部（Ｋ１）の対角角部（Ｋ２）に引っ掛けて、前記装飾物（１００）を前記写真収納体（Ｓ）に取付けることを特徴とする。
【０００９】
また、請求項２に記載の写真収納体（Ｓ）の装飾方法は、前記伸縮体（２０）は前記装飾帯（１０）よりも幅狭であることを特徴とする。
【００１０】
また、請求項３に記載の写真収納体（Ｓ）の装飾方法は、前記装飾帯（１０）は前記伸縮体（２０）と一体であって全体として伸縮自在であることを特徴とする。
【００１１】
また、請求項４に記載の写真収納体（Ｓ）の装飾方法は、前記写真収納体（Ｓ）の裏側において、前記伸縮体（２０）を捻って８の字状に交差させることを特徴とする。
【００１２】
ここで、上記括弧内の記号は、図面および後述する発明を実施するための形態に掲載された対応要素または対応事項を示す。
【発明の効果】
【００１３】
本発明の請求項１に記載の写真収納体の装飾方法によれば、装飾物は、装飾帯と、装飾帯の両端に端部がそれぞれ接続された伸縮自在な伸縮体を備えて一つの輪を形成してなり、装飾帯の略中央及び伸縮体の略中央がそれぞれ写真収納体の表側に露出するように、装飾帯を写真収納体の一つの角部に引っ掛けるとともに伸縮体を伸ばして一つの角部の対角角部に引っ掛けて、装飾物を写真収納体に取付けるので、装飾物を仮留めした状態で装飾帯の位置や角度を微調整可能であり、装飾物の取付けが容易である。
【００１４】
また、例えば画鋲や粘着テープといった別の固定具を必要とせず、装飾物単独で写真収納体に取付け可能である。つまり、写真収納体が合成樹脂等の画鋲が打てない素材からなる場合でも、本発明に係る装飾方法によって装飾可能である。
また、写真収納体を裏返して画鋲を打つ必要がないので、装飾物を取付けるときに表側に位置する装飾パーツが写真収納体自体によって潰されてしまうこともない。
さらに、伸縮体は伸縮自在であるので、写真収納体の大きさや厚さによらず、一種類の装飾物によって写真収納体を装飾可能である。
【００１５】
また、請求項２に記載の写真収納体の装飾方法によれば、請求項１に記載の発明の作用効果に加え、伸縮体は装飾帯よりも幅狭であるので、写真収納体の表側に露出した伸縮体が装飾帯より目立たず、装飾帯による装飾を邪魔しない。
【００１６】
また、請求項３に記載の写真収納体の装飾方法によれば、請求項１又は２に記載の発明の作用効果に加え、装飾帯は伸縮体と一体であって全体として伸縮自在であるので、装飾帯が伸縮しない場合に比べて伸縮量が多く、より大きい写真収納体にも取付け可能である。
【００１７】
また、請求項４に記載の写真収納体の装飾方法によれば、請求項１乃至３に記載の発明の作用効果に加え、写真収納体の裏側において、伸縮体を捻って８の字状に交差させるので、交差させない場合と比べて伸縮体の伸びが大きくなり、伸縮体の張力が高くなる。その結果、装飾物での固定力が向上するので、装飾物を固定した後に装飾物がその位置からずれ難い。
【００１８】
なお、本発明の写真収納体の装飾方法のように、装飾物が一つの輪を形成してなり、装飾帯を写真収納体の一つの角部に引っ掛けるとともに伸縮体を伸ばして一つの角部の対角角部に引っ掛けて、装飾物を写真収納体に取付ける点は、上述した特許文献１には全く記載されていない。
【図面の簡単な説明】
【００１９】
【図１】本発明の実施形態に係る写真収納体の装飾方法で用いる装飾物を示す平面図である。
【図２】本発明の実施形態に係る写真収納体の装飾方法を示す、図１の装飾物を取付けた写真収納体の正面図である。
【図３】本発明の実施形態に係る写真収納体の装飾方法を示す、図１の装飾物を取付けた写真収納体の背面図である。
【図４】本発明の実施形態に係る写真収納体の装飾方法を示す、他の装飾物を取付けた写真収納体の正面図である。
【図５】本発明の実施形態に係る写真収納体の装飾方法で用いる、さらに他の装飾物を示す平面図である。
【図６】本発明の他の実施形態に係る写真収納体の装飾方法を示す、図１の装飾物を取付けた写真収納体の背面図である。
【図７】従来例に係る写真収納体の装飾方法で用いる装飾物を示す平面図である。
【図８】従来例に係る写真収納体の装飾方法を示す、図７の装飾物を取付けた写真収納体の正面図である。
【図９】従来例に係る写真収納体の装飾方法を示す、図７の装飾物を取付けた写真収納体の背面図である。
【発明を実施するための形態】
【００２０】
図１乃至図３を参照して、本発明の実施形態に係る写真収納体Ｓの装飾方法を説明する。
本実施形態において、写真収納体Ｓとは葬儀で用いられる遺影写真用の額であり、矩形状である。
まず、この装飾方法で用いる装飾物１００について説明する。
装飾物１００は、装飾帯１０と伸縮体２０を備え全体として一つの輪が形成されてなる。ここで、従来例で示したものと同一部分には同一符号を付した。
【００２１】
装飾帯１０は、従来例においてはそれ単独で装飾物１００を構成していた帯状のリボンである。本実施形態においてはそのリボンを装飾物１００の構成要素の一部とした。
装飾帯１０の表面には装飾パーツ１１（ここでは造花）が取付けられている。この装飾パーツ１１が取付けられた位置は、装飾帯１０の長手方向の略中央である。なお、装飾帯１０の裏面には何も取付けられていない。
また、装飾帯１０は伸縮体２０とは異なり伸縮性を有していない。
【００２２】
伸縮体２０は、伸縮自在な細帯状ゴムバンドであって、装飾帯１０よりも幅狭である。また、伸縮体２０の長さは装飾帯１０の長さよりも長い。
そして、伸縮体２０の端部が装飾帯１０の両端にそれぞれ接続されている。
【００２３】
装飾帯１０と伸縮体２０との接続は、図１に示すように装飾帯１０の端部に伸縮体２０の端部を重ね、装飾帯１０の幅方向の余った部分を伸縮体２０の上に折り重ねる。そして、その伸縮体２０が装飾帯１０で挟まれた部分をステープラ（接着剤等の他の固定具であってもよい）で固定している。
この固定は、通常の使用態様において伸縮体２０が伸ばされたときに、装飾帯１０と伸縮体２０との接続が解除されない程度の強度を有している。
装飾物１００はこの接続により捻れていない一つの大きな輪となっている。
【００２４】
次に、このように構成された装飾物１００を用いる写真収納体Ｓの装飾方法について説明する。
まず、装飾帯１０の略中央の装飾パーツ１１が写真収納体Ｓの表側に露出するように、装飾帯１０を写真収納体Ｓの左上の角部Ｋ１に引っ掛ける。
【００２５】
そして、伸縮体２０の略中央も写真収納体Ｓの表側に露出するように、その状態から伸縮体２０を伸ばして右下の角部Ｋ２（対角角部Ｋ２）に引っ掛けて、装飾物１００を写真収納体Ｓに仮留めする。
すなわち、従来のように画鋲Ｇ等の装飾物１００とは別の固定具を必要とせず、装飾物１００単独で写真収納体Ｓに素早くワンタッチで仮留めできる。
【００２６】
最後に、この仮留めの状態から、装飾帯１０に取付けられている装飾パーツ１１の向きや装飾帯１０の角度及び位置を微調整する。もちろん、微調整の必要がない場合には、その状態で装飾完了となる。
このように装飾帯１０が取付けられたとき、図３に示すように装飾帯１０と伸縮体２０の接続部分は二箇所とも写真収納体Ｓの裏側に位置する。
また、写真収納体Ｓの裏側において、伸縮体２０は真っ直ぐ伸ばされており交差していない。
【００２７】
以上のように構成された装飾物１００、及びそれを用いた写真収納体Ｓの装飾方法によれば、装飾物１００は、装飾帯１０と、装飾帯１０の両端に端部がそれぞれ接続された伸縮自在な伸縮体２０を備えて一つの輪を形成してなり、装飾帯１０の略中央及び伸縮体２０の略中央がそれぞれ写真収納体Ｓの表側に露出するように、装飾帯１０を写真収納体Ｓの一つの角部に引っ掛けるとともに伸縮体２０を伸ばして一つの角部の対角角部Ｋ２に引っ掛けて、装飾物１００を写真収納体Ｓに取付けるので、装飾物１００を仮留めした状態で装飾帯１０の位置や角度を微調整可能であり、装飾物１００の取付けが容易である。
【００２８】
また、例えば画鋲Ｇや粘着テープといった別の固定具を必要とせず、装飾物１００単独で写真収納体Ｓに取付け可能である。つまり、写真収納体Ｓが合成樹脂等の画鋲Ｇが打てない素材からなる場合でも、本実施形態に係る装飾方法によって装飾可能である。
また、写真収納体Ｓを裏返して画鋲Ｇを打つ必要がないので、装飾物１００を取付けるときに表側に位置する装飾パーツ１１が写真収納体Ｓ自体によって潰されてしまうこともない。
【００２９】
さらに、伸縮体２０は伸縮自在であるので、写真収納体Ｓの大きさや厚さによらず、一種類の装飾物１００によって写真収納体Ｓを装飾可能である。つまり、遺影写真としては四つ切りから半切りといったサイズのものが良く使用されるが、このような一般的な遺影写真用の額には、伸縮体２０を伸縮させることで一サイズの装飾物１００で対応可能である。
また、伸縮体２０は装飾帯１０よりも幅狭であるので、写真収納体Ｓの表側に露出した伸縮体２０が装飾帯１０より目立たず、装飾帯１０による装飾を邪魔しない。
【００３０】
なお、本実施形態において、装飾帯１０の表面には装飾パーツ１１を取付けたが、これに限られるものではなく、図４に示すように装飾帯１０自体が例えばストライプ模様に装飾されていてもよい。もちろん、装飾帯１０に花等の絵が描かれていてもよい。
また、造花とか異なる他の装飾パーツ１１であってもよい。
【００３１】
また、伸縮体２０は装飾帯１０よりも幅狭であるとしたが、これに限られるものではなく、同じくらいの幅であってもよい。
また、伸縮体２０は細帯状であるとしたが、これに限られるものではなく、例えば断面略円形等の他の形状であってもよい。
【００３２】
また、別体である装飾帯１０と伸縮体２０を互いに接続して装飾物１００を形成したが、これに限られるものではなく、図５に示すように装飾帯１０を伸縮体２０と一体的に形成して、全体として伸縮自在であってもよい。これにより、装飾帯１０が伸縮しない場合に比べて装飾物１００全体の伸縮量が多くなるので、より大きい写真収納体Ｓにも取付け可能である。
【００３３】
さらに、図６に示すように写真収納体Ｓの裏側において、伸縮体２０を捻って８の字状に交差させてもよい。これにより、交差させない場合と比べて伸縮体２０の伸びが大きくなるので、伸縮体２０の張力が高くなる。その結果、装飾物１００での固定力が向上するので、装飾物１００を固定した後に装飾物１００（特に装飾帯１０）がその位置からずれ難い。
【００３４】
また、写真収納体Ｓとして本実施形態においては遺影写真用の額であったが、これに限られるものではなく、例えば写真アルバムであってもよい。
また、写真収納体Ｓの左上の角部Ｋ１を装飾帯１０で装飾したが、これに限られるものではなく、他の角部であってもよい。
【符号の説明】
【００３５】
１０      装飾帯
１１      装飾パーツ
２０      伸縮体
１００      装飾物
Ｇ      画鋲
Ｓ      写真収納体（額）
Ｋ１    角部
Ｋ２    対角角部
【図１】
2014236768.tif 000003
【図２】
2014236768.tif 000004
【図３】
2014236768.tif 000005
【図４】
2014236768.tif 000006
【図５】
2014236768.tif 000007
【図６】
2014236768.tif 000008
【図７】
2014236768.tif 000009
【図８】
2014236768.tif 000010
【図９】
2014236768.tif 000011